(57)【要約】      （修正有）【課題】折り畳み可能な柔軟シート材料で形成したバッグであっても、バッグ本来の美的外観を損なうことなく、レジカゴ内に開口した状態にセットでき、買物した商品を詰め替え易く、不使用時に携行しやすいバッグを提供する。【解決手段】バッグ１内に一対のレジカゴ係着用ベルト１５を取り付け、開けられた覆い部１０のスライドファスナー１２から成る開閉口１１からバッグ１の外側に取り出した該係着用ベルト１５をレジカゴ３０の左右のつかみ部３２に係着することによって、覆い部１０の開閉口１１を左右方向に広げた吊下げ状態に保持できるようにした。また、バッグ１内に格納口２２を巾着構造とした携帯格納用バッグ２１を取り付け、バッグ外に取り出した携帯格納用バッグ２１内に小さく折り畳んだバッグ１を格納し、格納口２２を巾着紐２４で閉じて携行できるようにした。【選択図】図２
0003229615.tif 000002
【実用新案登録請求の範囲】
【請求項１】
略方形状の底面部と、正面部、背面部、両側面部から成る４面の胴面部を備え、上部を略方形状に開口する開口部とした袋状の収納部と、この収納部の正面部側及び背面部側における各上部の対称位置に設けた手提げ部又は肩掛け部として機能する一対の提げ部と、前記収納部の略方形状に開口する前記開口部を覆う開閉可能な覆い部から成るバッグであって、前記収納部、前記提げ部、前記覆い部から成るバッグをコンパクトな小さな形状に折り畳み可能な柔軟シート材料で形成し、前記覆い部の開閉口を前記開口部の対角線の全長に沿って装着したスライドファスナーの開閉で開閉可能に構成し、このスライドファスナーによる開閉口を介して該覆い部を開閉可能な二つの覆い部分に分けた覆い構造としたバッグにおいて、
前記覆い部の内側であって、前記収納部の両側面部の上部の略中央位置の内側面に一端側がそれぞれ固着された柔軟素材から成る一対のレジカゴ係着用ベルトを備え、このレジカゴ係着用ベルトは、前記バッグを上方が開口されたレジカゴ内に入れた状態において、前記覆い部の開けられた開閉口からバッグの外側に取り出された該レジカゴ係着用ベルトのそれぞれの自由端側をレジカゴの左右両側部の上部の中央位置に形成されている手指の差込口と該レジカゴのカゴ部の開口枠部との間に形成されているレジカゴの左右のつかみ部に前記差込口を通してそれぞれループ状に掛け回し、このループ状の掛け回し状態を着脱自在な止着具で係着し保持できるように構成し、この止着具を前記レジカゴ係着用ベルトの固着部側に取り付けられた第一止着具と該レジカゴ係着用ベルトの自由端部側に取り付けられループ状の掛け回し状態において前記第一止着具と着脱自在に係着される第二止着具で構成したバッグであり、前記レジカゴ係着用ベルトをレジカゴの左右の前記つかみ部に係着することによって、このレジカゴ係着用ベルトの左右の係着方向と斜めに交わる前記覆い部の開閉口の開口縁部を左右方向に広げた吊下げ状態にバッグをレジカゴ内にセットできるようにしたことを特徴とする買物用のバッグ。
【請求項２】
略方形状の底面部と、正面部、背面部、両側面部から成る４面の胴面部を備え、上部を略方形状に開口する開口部とした袋状の収納部と、この収納部の正面部側及び背面部側における各上部の対称位置に設けた手提げ部又は肩掛け部として機能する一対の提げ部から成るバッグであって、前記収納部及び前記提げ部から成るバッグをコンパクトな小さな形状に折り畳み可能な柔軟シート材料で形成したバッグにおいて、
前記収納部の両側面部の上部の略中央位置の内側面に一端側がそれぞれ固着された柔軟素材から成る一対のレジカゴ係着用ベルトを備え、このレジカゴ係着用ベルトは、前記バッグを上方が開口されたレジカゴ内に入れた状態において、前記バッグの開口部からバッグの外側に取り出された該レジカゴ係着用ベルトのそれぞれの自由端側をレジカゴの左右両側部の上部の中央位置に形成されている手指の差込口と該レジカゴのカゴ部の開口枠部との間に形成されているレジカゴの左右のつかみ部に前記差込口を通してそれぞれループ状に掛け回し、このループ状の掛け回し状態を着脱自在な止着具で係着し保持できるように構成し、この止着具を前記レジカゴ係着用ベルトの固着部側に取り付けられた第一止着具と該レジカゴ係着用ベルトの自由端部側に取り付けられループ状の掛け回し状態において前記第一止着具と着脱自在に係着される第二止着具で構成したバッグであり、前記レジカゴ係着用ベルトをレジカゴの左右の前記つかみ部に係着することによって、バッグの収納部の開口縁部を左右方向に広げた吊下げ状態にバッグをレジカゴ内にセットできるようにしたことを特徴とする買物用のバッグ。
【請求項３】
略方形状の底面部と、正面部、背面部、両側面部から成る４面の胴面部を備え、上部を略方形状に開口する開口部とした袋状の収納部と、この収納部の正面部側及び背面部側における各上部の対称位置に設けた手提げ部又は肩掛け部として機能する一対の提げ部と、前記収納部の略方形状に開口する前記開口部を覆う開閉可能な覆い部から成るバッグであって、前記収納部、前記提げ部、前記覆い部から成るバッグをコンパクトな小さな形状に折り畳み可能な柔軟シート材料で形成し、前記覆い部の開閉口を前記正面部又は背面部の各面と平行に装着したスライドファスナーの開閉で開閉可能に構成し、このスライドファスナーによる開閉口を介して該覆い部を開閉可能な二つの覆い部分に分けた覆い構造としたバッグにおいて、
前記覆い部の内側であって、前記収納部の両側面部の上部の略中央位置の内側面に一端側がそれぞれ固着された柔軟素材から成る一対のレジカゴ係着用ベルトを備え、このレジカゴ係着用ベルトは、前記バッグを上方が開口されたレジカゴ内に入れた状態において、前記覆い部の開けられた開閉口からバッグの外側に取り出された該レジカゴ係着用ベルトのそれぞれの自由端側をレジカゴの左右両側部の上部の中央位置に形成されている手指の差込口と該レジカゴのカゴ部の開口枠部との間に形成されているレジカゴの左右のつかみ部に前記差込口を通してそれぞれループ状に掛け回し、このループ状の掛け回し状態を着脱自在な止着具で係着し保持できるように構成し、この止着具を前記レジカゴ係着用ベルトの固着部側に取り付けられた第一止着具と該レジカゴ係着用ベルトの自由端部側に取り付けられループ状の掛け回し状態において前記第一止着具と着脱自在に係着される第二止着具で構成したバッグであり、前記レジカゴ係着用ベルトをレジカゴの左右の前記つかみ部に係着することによって、前記覆い部の開閉口を左右方向に広げた吊下げ状態にバッグをレジカゴ内にセットできるようにしたことを特徴とする買物用のバッグ。
【請求項４】
前記収納部が、略長方形状の底面部と、この略長方形状の底面部の各長辺側に対応する正面部及び背面部、この底面部の各短辺側に対応する両側面部から成る４面の胴面部を備え、上部を略長方形状に開口する開口部とした袋状の収納部である請求項１、２又は３に記載の買物用のバッグ。
【請求項５】
前記第一止着具が雄又は雌のホック、前記第二止着具が前記第一止着具と着脱自在に嵌着される雄又は雌のホックである請求項１、２又は３に記載の買物用のバッグ。
【請求項６】
前記収納部の正面部又は背面部の上部の略中央位置の内側面に上端部が固着された柔軟材料から成る吊下げ延設部を介して格納口を上方に向けた柔軟シート材料から成る携帯格納用バッグを吊下げ状態に取り付け、この携帯格納用バッグを前記バッグの収納部の外側へ反転させた取り出し状態において、この携帯格納用バッグ内にコンパクトな小さな形状に折り畳まれたバッグを前記格納口から格納できるようにした請求項１、２又は３に記載の買物用のバッグ。
【請求項７】
前記収納部の正面部又は背面部の上部の略中央位置の内側面に上端部が固着された柔軟材料から成る吊下げ延設部を介して格納口を上方に向けた柔軟シート材料から成る携帯格納用バッグを吊下げ状態に取り付け、この携帯格納用バッグの前記格納口の開口周縁部に巾着紐の通し部を形成し、この通し部に通した巾着紐で該格納口を開閉できる巾着構造とし、この携帯格納用バッグを前記バッグの収納部の外側へ反転させた取り出し状態において、この携帯格納用バッグ内にコンパクトな小さな形状に折り畳まれたバッグを前記格納口から格納し、この格納口を巾着紐で閉じられるようにした請求項１、２又は３に記載の買物用のバッグ。
【考案の詳細な説明】
【技術分野】
【０００１】
本考案は、不使用時にはコンパクトな小さな形状に折り畳みできる一対の提げ部を設けた袋状のバッグであり、特にスーパーマーケット等で買物する際に便利なバッグに関する。
【背景技術】
【０００２】
上部を開口した袋状の収納部と提げ部から成るバッグをコンパクトな形状に折り畳み可能な柔軟シート材料で形成し、不使用時にはコンパクトな小さな形状に折り畳み、スーパーマーケット等で買物する使用時には折り畳んだ状態からバッグ形状に広げて買物した商品を詰め込めるようにした、一般的にはマイバッグとも称される買物用のバッグが広く用いられている。
【０００３】
また、コンパクトな小さな形状に折り畳み可能な柔軟シート材料で形成した一般的にはマイバッグとも称されるバッグとして、袋状の収納部に詰め込んだ買物した商品の脱落を防止すること、収納部に詰め込んだ買物商品が外部から見られないように隠せること、保冷や保温効果を上げること、等の観点から、前記バッグの収納部の開口部を覆う折り畳み可能な柔軟シート材料で形成した開閉可能な覆い部を設け、この覆い部の開閉口をスライドファスナーの開閉で開閉可能に構成したバッグも知られている（例えば、特許文献１）。
【０００４】
特許文献１のバッグは、前記覆い部の開閉口を袋状の収納部の略方形状に開口された開口部の対角線の全長に沿って装着したスライドファスナーの開閉で開閉可能に構成し、この斜めに装着したスライドファスナーによる開閉口を介して該覆い部を開閉可能な二つの覆い部分に分けた覆い構造としたことを特徴とし、スライドファスナーを袋状の収納部の略方形状に開口された開口部の長辺と平行に装着した覆い構造のバッグに比べて、斜めに装着したスライドファスナーによる覆い部の開閉口を長く形成でき、この覆い部の開閉口が広く開けられるように成っている。
【０００５】
一方、スーパーマーケット等で買物する際に、スーパーマーケットに備えてあるレジカゴのカゴ内に利用者のバッグを開口した状態にセットし、この開口したバッグ内にレジで精算した商品を詰め替えるようにして用いるバッグも知られている（例えば、特許文献２）。特許文献２のバッグは、スーパーマーケットでの買物に使用する場合、空のレジカゴ内にバッグ本体をはめ込み、バッグ本体の上部に設けた筒状布をレジカゴの開口縁の外側へ折り返して、レジカゴ内に利用者のバッグを開口した状態にセットできるようにしたものである。
【０００６】
スーパーマーケット等で広く用いられている公知のレジカゴは、底部を略長方形の矩形とし、上部を略長方形の矩形開口枠部で開口したカゴ部と、このカゴ部を提げる一対の起倒自在な手提げ部から成り、このカゴ部の左右両側部の矩形開口枠部の近くの中央位置に横長の手指の差込口が形成され、この差込口とレジカゴのカゴ部の矩形開口枠との間を手でつかめるつかみ部として機能させている。（レジカゴの横長の差込口とつかみ部については本願の図２に一点鎖線で示したレジカゴを参照。）
【先行技術文献】
【特許文献】
【０００７】
【特許文献１】実用新案登録第３１６４３８２号公報
【特許文献２】特開２００１−８７０２２号公報
【考案の概要】
【考案が解決しようとする課題】
【０００８】
コンパクトな小さな形状に折り畳み可能な柔軟シート材料で形成したバッグを用いてスーパーマーケット等で買物する際に、折り畳み可能な柔軟シート材料で形成したバッグは、上部を開口した袋状にその形状を自立保持できないため、買物した品をバッグ内に詰め込み難いものであった。
【０００９】
一方、レジカゴに利用者のバッグを開口した状態にセットできるようにしたバッグとして、例えば特許文献２のタイプのバッグは、空のレジカゴ内にバッグ本体をはめ込み、このバッグ本体の上部に設けた筒状布をレジカゴの開口縁の外側へ折り返して、レジカゴ内に利用者のバッグを開口した状態にセットできるようにしてあり、レジカゴの開口縁の外側へ折り返す比較的大きな筒状布を必須な構成要件としている。レジカゴの開口縁の外側へ折り返すための比較的大きな筒状布は実用的ではあるが、バッグの外観に大きく表れ、バッグ本来の美的外観を損なうものであった。
【００１０】
このような実情に鑑み、本考案は、不使用時にはコンパクトな小さな形状に折り畳み可能な柔軟シート材料で形成したバッグであっても、バッグ本来の美的外観を損なうことなく、スーパーマーケット等に備えてあるレジカゴのカゴ内に利用者のバッグを開口した状態にセットでき、この開口したバッグ内にレジで精算した商品を詰め替えて使用するのに便利なバッグを提供しようとするものである。
【課題を解決するための手段】
【００１１】
前記した課題を解決するため、本考案（請求項１の考案）は、略方形状の底面部と、正面部、背面部、両側面部から成る４面の胴面部を備え、上部を略方形状に開口する開口部とした袋状の収納部と、この収納部の正面部側及び背面部側における各上部の対称位置に設けた手提げ部又は肩掛け部として機能する一対の提げ部と、前記収納部の略方形状に開口する前記開口部を覆う開閉可能な覆い部から成るバッグであって、前記収納部、前記提げ部、前記覆い部から成るバッグをコンパクトな小さな形状に折り畳み可能な柔軟シート材料で形成し、前記覆い部の開閉口を前記開口部の対角線の全長に沿って装着したスライドファスナーの開閉で開閉可能に構成し、このスライドファスナーによる開閉口を介して該覆い部を開閉可能な二つの覆い部分に分けた覆い構造としたバッグにおいて、前記覆い部の内側であって、前記収納部の両側面部の上部の略中央位置の内側面に一端側がそれぞれ固着された柔軟素材から成る一対のレジカゴ係着用ベルトを備え、このレジカゴ係着用ベルトは、前記バッグを上方が開口されたレジカゴ内に入れた状態において、前記覆い部の開けられた開閉口からバッグの外側に取り出された該レジカゴ係着用ベルトのそれぞれの自由端側をレジカゴの左右両側部の上部の中央位置に形成されている手指の差込口と該レジカゴのカゴ部の開口枠部との間に形成されているレジカゴの左右のつかみ部に前記差込口を通してそれぞれループ状に掛け回し、このループ状の掛け回し状態を着脱自在な止着具で係着し保持できるように構成し、この止着具を前記レジカゴ係着用ベルトの固着部側に取り付けられた第一止着具と該レジカゴ係着用ベルトの自由端部側に取り付けられループ状の掛け回し状態において前記第一止着具と着脱自在に係着される第二止着具で構成したバッグであり、前記レジカゴ係着用ベルトをレジカゴの左右の前記つかみ部に係着することによって、このレジカゴ係着用ベルトの左右の係着方向と斜めに交わる前記覆い部の開閉口の開口縁部を左右方向に広げた吊下げ状態にバッグをレジカゴ内にセットできるようにしたことを特徴とする買物用のバッグを提供する。
【００１２】
本考案（請求項１の考案）のバッグによれば、前記レジカゴ係着用ベルトをレジカゴの左右の前記つかみ部に係着することによって、このレジカゴ係着用ベルトの左右の係着方向（図１に一点鎖線の直線Ｌで示した。）と斜めに交わる前記覆い部の開閉口の開口縁部（開けられたスライドファスナーの開口縁部）を左右方向に広げた吊下げ状態に保持できるため、スーパーマーケット等に備えてあるレジカゴ内にバッグの覆い部の開閉口を広げた状態にセットできる。よって、レジカゴ内にセットされたバッグ内にレジで精算した商品を詰め替えて使用するのに便利である。
【００１３】
また、前記した課題を解決するため、本考案（請求項２の考案）は、略方形状の底面部と、正面部、背面部、両側面部から成る４面の胴面部を備え、上部を略方形状に開口する開口部とした袋状の収納部と、この収納部の正面部側及び背面部側における各上部の対称位置に設けた手提げ部又は肩掛け部として機能する一対の提げ部から成るバッグであって、前記収納部及び前記提げ部から成るバッグをコンパクトな小さな形状に折り畳み可能な柔軟シート材料で形成したバッグにおいて、前記収納部の両側面部の上部の略中央位置の内側面に一端側がそれぞれ固着された柔軟素材から成る一対のレジカゴ係着用ベルトを備え、このレジカゴ係着用ベルトは、前記バッグを上方が開口されたレジカゴ内に入れた状態において、前記バッグの開口部からバッグの外側に取り出された該レジカゴ係着用ベルトのそれぞれの自由端側をレジカゴの左右両側部の上部の中央位置に形成されている手指の差込口と該レジカゴのカゴ部の開口枠部との間に形成されているレジカゴの左右のつかみ部に前記差込口を通してそれぞれループ状に掛け回し、このループ状の掛け回し状態を着脱自在な止着具で係着し保持できるように構成し、この止着具を前記レジカゴ係着用ベルトの固着部側に取り付けられた第一止着具と該レジカゴ係着用ベルトの自由端部側に取り付けられループ状の掛け回し状態において前記第一止着具と着脱自在に係着される第二止着具で構成したバッグであり、前記レジカゴ係着用ベルトをレジカゴの左右の前記つかみ部に係着することによって、バッグの収納部の開口縁部を左右方向に広げた吊下げ状態にバッグをレジカゴ内にセットできるようにしたことを特徴とする買物用のバッグを提供する。
【００１４】
前記したように本考案（請求項２の考案）は、覆い部を備えてないバッグに前記レジカゴ係着用ベルトを取り付けたバッグを除外するものではない。本考案のバッグによれば、前記レジカゴ係着用ベルトをレジカゴの左右の前記つかみ部に係着することによって、バッグの収納部の開口縁部を左右方向に広げた吊下げ状態に保持できるため、スーパーマーケット等に備えてあるレジカゴ内にバッグの開口部を広げた状態にセットできる。よって、レジカゴ内にセットされたバッグ内にレジで精算した商品を詰め替えて使用するのに便利である。
【００１５】
また、前記した課題を解決するため、本考案（請求項３の考案）は、略方形状の底面部と、正面部、背面部、両側面部から成る４面の胴面部を備え、上部を略方形状に開口する開口部とした袋状の収納部と、この収納部の正面部側及び背面部側における各上部の対称位置に設けた手提げ部又は肩掛け部として機能する一対の提げ部と、前記収納部の略方形状に開口する前記開口部を覆う開閉可能な覆い部から成るバッグであって、前記収納部、前記提げ部、前記覆い部から成るバッグをコンパクトな小さな形状に折り畳み可能な柔軟シート材料で形成し、前記覆い部の開閉口を前記正面部又は背面部の各面と平行に装着したスライドファスナーの開閉で開閉可能に構成し、このスライドファスナーによる開閉口を介して該覆い部を開閉可能な二つの覆い部分に分けた覆い構造としたバッグにおいて、前記覆い部の内側であって、前記収納部の両側面部の上部の略中央位置の内側面に一端側がそれぞれ固着された柔軟素材から成る一対のレジカゴ係着用ベルトを備え、このレジカゴ係着用ベルトは、前記バッグを上方が開口されたレジカゴ内に入れた状態において、前記覆い部の開けられた開閉口からバッグの外側に取り出された該レジカゴ係着用ベルトのそれぞれの自由端側をレジカゴの左右両側部の上部の中央位置に形成されている手指の差込口と該レジカゴのカゴ部の開口枠部との間に形成されているレジカゴの左右のつかみ部に前記差込口を通してそれぞれループ状に掛け回し、このループ状の掛け回し状態を着脱自在な止着具で係着し保持できるように構成し、この止着具を前記レジカゴ係着用ベルトの固着部側に取り付けられた第一止着具と該レジカゴ係着用ベルトの自由端部側に取り付けられループ状の掛け回し状態において前記第一止着具と着脱自在に係着される第二止着具で構成したバッグであり、前記レジカゴ係着用ベルトをレジカゴの左右の前記つかみ部に係着することによって、前記覆い部の開閉口を左右方向に広げた吊下げ状態にバッグをレジカゴ内にセットできるようにしたことを特徴とする買物用のバッグを提供する。
【００１６】
前記したように本考案（請求項３の考案）は、前記覆い部の開閉口を前記正面部又は背面部の各面と平行に装着したスライドファスナーの開閉で開閉可能に構成したバッグにも前記レジカゴ係着用ベルトを取り付け可能としたものである。本考案のバッグによれば、前記レジカゴ係着用ベルトをレジカゴの左右の前記つかみ部に係着することによって、前記覆い部の開閉口の開口縁部（開けられたスライドファスナーの開口縁部）を左右方向に広げた吊下げ状態に保持できるため、スーパーマーケット等に備えてあるレジカゴ内にバッグの覆い部の開閉口を広げた状態にセットできる。よって、レジカゴ内にセットされたバッグ内にレジで精算した商品を詰め替えて使用するのに便利である。
【００１７】
本考案（請求項４の考案）の買物用のバッグは、前記収納部が、略長方形状の底面部と、この略長方形状の底面部の各長辺側に対応する正面部及び背面部、この底面部の各短辺側に対応する両側面部から成る４面の胴面部を備え、上部を略長方形状に開口する開口部とした袋状の収納部であり、前記した公知のレジカゴの形状に合わせてある。
【００１８】
本考案（請求項５の考案）の買物用のバッグは、前記第一止着具が雄又は雌のホック、前記第二止着具が前記第一止着具と着脱自在に嵌着される雄又は雌のホックである。
【００１９】
本考案（請求項６の考案）の買物用のバッグは、前記収納部の正面部又は背面部の上部の略中央位置の内側面に上端部が固着された柔軟材料から成る吊下げ延設部を介して格納口を上方に向けた柔軟シート材料から成る携帯格納用バッグを吊下げ状態に取り付け、この携帯格納用バッグを前記バッグの収納部の外側へ反転させた取り出し状態において、この携帯格納用バッグ内にコンパクトな小さな形状に折り畳まれたバッグを前記格納口から格納できるようにしてある。このバッグによれば、小さく折り畳んだバッグを携帯格納用バッグ内に格納して携行できる。
【００２０】
さらに、本考案（請求項７の考案）の買物用のバッグは、前記収納部の正面部又は背面部の上部の略中央位置の内側面に上端部が固着された柔軟材料から成る吊下げ延設部を介して格納口を上方に向けた柔軟シート材料から成る携帯格納用バッグを吊下げ状態に取り付け、この携帯格納用バッグの前記格納口の開口周縁部に巾着紐の通し部を形成し、この通し部に通した巾着紐で該格納口を開閉できる巾着構造とし、この携帯格納用バッグを前記バッグの収納部の外側へ反転させた取り出し状態において、この携帯格納用バッグ内にコンパクトな小さな形状に折り畳まれたバッグを前記格納口から格納し、この格納口を巾着紐で閉じられるようにしてある。このバッグによれば、小さく折り畳んだバッグを携帯格納用バッグ内に格納し、この携帯格納用バッグの格納口を巾着紐で閉じた状態で携行できる。
【考案の効果】
【００２１】
本考案の買物用のバッグは、不使用時にはコンパクトな小さな形状に折り畳み可能な柔軟シート材料で形成したバッグであっても、バッグ本来の美的外観を損なうことなく、スーパーマーケット等に備えてあるレジカゴのカゴ内に利用者のバッグを開口した状態にセットでき、この開口したバッグ内にレジで精算した商品を詰め替えやすいものである。
【図面の簡単な説明】
【００２２】
【図１】本考案のバッグを示した斜視図である。
【図２】本考案のバッグをレジカゴにセットした使用状態を示した斜視図である。
【図３】バッグとして使用しない時の折り畳み手順を示した斜視図である。
【考案を実施するための形態】
【００２３】
本考案の好ましい実施形態を図１〜図３に基づき説明する。図１、図２に示したように、本考案の買物用のバッグ１は、略方形状（略長方形状）の底面部３と、この略長方形状の底面部３の各長辺側に対応する正面部４及び背面部５、前記底面部３の各短辺側に対応する両側面部６，７から成る４面の胴面部を備え、上部を略方形状（略長方形状）に開口する開口部８とした袋状の収納部２と、この収納部２の正面部４側及び背面部５側における各上部の対称位置に設けた手提げ部又は肩掛け部として機能する一対の提げ部９，９と、前記収納部２の略方形状（略長方形状）に開口する前記開口部８を覆う開閉可能な覆い部１０から成るバッグであって、前記収納部２、前記提げ部９、前記覆い部１０から成るバッグをコンパクトな小さな形状に折り畳み可能な柔らかな材質の繊維素材から成る柔軟シート材料で形成し、前記覆い部１０の開閉口１１を前記開口部８の対角線の全長に沿って装着したスライドファスナー１２の開閉で開閉可能に構成し、このスライドファスナー１２による開閉口１１を介して該覆い部１０を開閉可能な二つの覆い部分に分けた覆い構造としてある。
【００２４】
本考案の買物用のバッグ１は、前記提げ部９は前記収納部２の正面部４側及び背面部５側における各上部からそれぞれ延設された正面部側の提げ部９ａと背面部側の提げ部９ｂを有し、前記覆い部１０は前記スライドファスナー１２の対のファスナーテープ部に沿ってそれぞれ縫着したファスナーテープ装着辺部で分けられた正面部側の覆い部分１０ａと背面部側の覆い部分１０ｂを有し、正面部側の提げ部９ａの表面材を前記収納部２の正面部４の上部から延設した柔軟シート材料で形成し、背面部側の提げ部９ｂの表面材を前記収納部２の背面部５の上部から延設した柔軟シート材料で形成し、正面部側の覆い部分１０ａと正面部側の提げ部９ａの裏面材を連続した柔軟シート材料で形成し、背面部側の覆い部分１０ｂと背面部側の提げ部９ｂの裏面材を連続した柔軟シート材料で形成し、正面部側の覆い部分１０ａは前記ファスナーテープ装着辺部を除き対応する一方の側面部６の上縁部にその端部が縫着されると共に該正面部側の覆い部分１０ａと連続した正面部側の提げ部９ａの裏面材を対応する正面部側の提げ部９ａの表面材に裏地として縫合し、背面部側の覆い部分１０ｂは前記ファスナーテープ装着辺部を除き対応する他方の側面部７の上縁部にその端部が縫着されると共に該背面部側の覆い部分１０ｂと連続した背面部側の提げ部９ｂの裏面材を対応する背面部側の提げ部９ｂの表面材に裏地として縫合し、前記収納部２、前記正面部側の覆い部分１０ａ、前記背面部側の覆い部分１０ｂの内側に保冷機能を有する連続した柔軟シート材料から成る裏面材１３を張設して構成してある。
【００２５】
図１、図２に示したように、本考案のバッグ１の主な特徴は、前記覆い部１０の内側であって、前記収納部２の両側面部６，７の上部の略中央位置の内側面（保冷機能を有する裏面材１３の内側面）に一端側がそれぞれ固着された柔軟素材から成る一対のレジカゴ係着用ベルト１５を備えたことである。このレジカゴ係着用ベルト１５は、前記バッグを上方が開口されたレジカゴ３０内に入れた状態において、前記覆い部１０の開けられた開閉口１１からバッグの外側に取り出された該レジカゴ係着用ベルト１５のそれぞれの自由端側をレジカゴ３０の左右両側部の上部の中央位置に形成されている横長の手指の差込口３１と該レジカゴ３０のカゴ部の開口枠部との間に形成されているレジカゴ３０の左右のつかみ部３２に前記差込口３１を通してそれぞれループ状に掛け回し、このループ状の掛け回し状態を着脱自在な止着具１６で係着し保持できるように構成してある。
【００２６】
なお、レジカゴ３０はカゴ部を提げる一対の起倒自在な手提げ部（図示せず。）を備え、この一対の手提げ部（図示せず。）はレジカゴのカゴ部の左右の矩形開口枠部に沿って該枠部上に載せた状態に倒されるように成っている。前記レジカゴ係着用ベルト１５は、カゴ部の左右の矩形開口枠部に沿って該枠部上に載せた状態に倒されたレジカゴの手提げ部（図示せず。）も前記つかみ部３２と一緒に掛け回し、レジカゴの前記つかみ部３２と手提げ部（図示せず。）をループ状の掛け回し状態に係着し保持できるようにしても良い。
【００２７】
この止着具１６を前記レジカゴ係着用ベルト１５の固着部側に取り付けられた第一止着具１６ａと該レジカゴ係着用ベルト１５の自由端部側に取り付けられループ状の掛け回し状態において前記第一止着具１６ａと着脱自在に係着される第二止着具１６ｂで構成してある。図示した実施形態では、前記第一止着具１６ａを雄又は雌のホック、前記第二止着具１６ｂを前記第一止着具１６ａのホックと着脱自在に嵌着される雄又は雌のホックとしてある。なお、図示した雄雌のホックに変えて、前記第一止着具１６ａを雄又は雌の面ファスナー、前記第二止着具１６ｂを前記第一止着具１６ａの面ファスナーと着脱自在に接着される雄又は雌の面ファスナーとしても良い。
【００２８】
図２に示したように、本考案のバッグ１は、前記レジカゴ係着用ベルト１５をレジカゴ３０の左右の前記つかみ部３２に係着することによって、このレジカゴ係着用ベルト１５の左右の係着方向（図１に一点鎖線の直線Ｌで示した。）と斜めに交わる前記覆い部１０の開閉口１１の開口縁部（開けられたスライドファスナー１２の開口縁部）を左右方向に広げた吊下げ状態に保持できるため、スーパーマーケット等に備えてあるレジカゴ３０内にバッグの覆い部１０の開閉口１１を広げた状態にセットできる。よって、レジカゴ３０内にセットされたバッグ１内にレジで精算した商品を詰め替えて使用するのに便利である。
【００２９】
さらに、本考案のバッグ１は、前記収納部２の背面部５（正面部４でも良い。）の上部の略中央位置の内側面に上端部が固着された柔軟シート材料から成る吊下げ延設部２０を介して格納口２２を上方に向けた柔軟シート材料から成る携帯格納用バッグ２１を吊下げ状態に取り付けてある。図２及び図３に示したように、この携帯格納用バッグ２１の前記格納口２２の開口周縁部に巾着紐２４の通し部２３を形成し、この通し部２３に通した巾着紐２４で該格納口２２を開閉できる巾着構造としてある。図３の（Ａ）（Ｂ）に示したように、この携帯格納用バッグ２１をバッグ１の収納部２の外側へ反転させた取り出し状態において、この携帯格納用バッグ２１内にコンパクトな小さな形状に折り畳まれたバッグ１を前記格納口２２から格納し、この格納口２２を巾着紐２４で閉じられるようにしてある。本考案のバッグによれば、小さく折り畳んだバッグ１を携帯格納用バッグ２１内に格納し、この携帯格納用バッグ２１の格納口２２を巾着紐２４で閉じた状態で携行できる。
【００３０】
この携帯格納用バッグ２１は、バッグとしての使用時にはバッグ内に設けた吊下げ内ポケットとしても機能し、巾着紐２４で格納口２２を閉じれば、この吊下げ内ポケット内に入れた物品の脱落や紛失を防止できる。
【符号の説明】
【００３１】
１  買物用のバッグ
２  バッグの収納部
８  収納部の開口部
９，９  バッグの提げ部
１０  覆い部
１１  覆い部の開閉口
１２  スライドファスナー
１５  レジカゴ係着用ベルト
１６  止着具（雄雌のホック）
１６ａ  第一止着具
１６ｂ  第二止着具
２０  吊下げ延設部
２１  携帯格納用バッグ
２２  携帯格納用バッグの格納口
２３  巾着紐の通し部
２４  巾着紐
３０  レジカゴ
３１  レジカゴの左右の差込口
３２  レジカゴの左右のつかみ部
【図１】
0003229615.tif 000003
【図２】
0003229615.tif 000004
【図３】
0003229615.tif 000005